(57)【要約】【課題】  簡単な構成で薬液チューブ内の薬液を所望の温度まで加温できる加温装置を提供する。【解決手段】  薬液チューブ２０に保温カバー１０を被せ、この保温カバー内に温風を通すことで薬液チューブ内の薬液を加温する。具体的には、保温カバーは、薬液チューブの外径より大きい内径を持つ筒状のカバー体１１を有してその所定箇所に温風入口１０−１が設けられ、筒状のカバー体内に薬液チューブを通すようにされる。そして、筒状のカバー体内に温度制御された温風を通すことで薬液チューブ内の薬液を所望の温度まで加温する。【選択図】      図６
2007130236.tif 000002
【特許請求の範囲】
【請求項１】
薬液を通すチューブに保温カバーを被せ、該保温カバー内に温風を通すことでチューブ内の薬液を加温するようにしたことを特徴とする加温装置。
【請求項２】
前記保温カバーは、前記チューブの外径より大きい内径を持つ筒状体を有してその所定箇所に温風入口が設けられ、該筒状体内に前記チューブを通すようにされ、該筒状体内に温度制御された温風を通すことで前記チューブ内の薬液を所望の温度まで加温することを特徴とする請求項１に記載の加温装置。
【請求項３】
前記保温カバーは、前記筒状体の中間部に近い位置に前記温風入口を有し、前記温風入口から導入された温風は、前記筒状体の両端側に向けて分流されて該筒状体の端部から排出されることを特徴とする請求項２に記載の加温装置。
【請求項４】
前記筒状体の両端はそれぞれ、前記チューブを通した状態で塞がれ、該筒状体の前記両端に近い箇所にそれぞれ、前記温風を排出するための１つ以上の穴が設けられていることを特徴とする請求項３に記載の加温装置。
【請求項５】
前記保温カバーは、前記温風入口を有すると共に該温風入口を間にした両側に接続部を持つ中空のコネクタと、該接続部に一端側を接続される２本の筒状のカバー体とで着脱自在に構成されて成り、これら２本のカバー体と前記コネクタとを通すように前記チューブが配置され、前記温風入口から導入された温風は、前記２本のカバー体に分流されて各カバー体の他端側から排出されることを特徴とする請求項２に記載の加温装置。
【請求項６】
前記コネクタの内壁には、該コネクタを通された前記チューブが前記温風入口の通路を塞ぐことを防止するために、前記チューブを前記温風入口の通路から離れた状態で保持するための固定リングが設けられていることを特徴とする請求項５に記載の加温装置。
【請求項７】
前記筒状体の内壁には、前記チューブを前記内壁から離間させるためのガイドフィンが設けられていることを特徴とする請求項１〜６のいずれか１項に記載の加温装置。
【請求項８】
前記保温カバーから離れた箇所に温風発生装置が配置され、該温風発生装置で発生された温風は前記温風入口に接続可能な温風チューブを介して当該保温カバーに導入されることを特徴とする請求項２〜７のいずれか１項に記載の加温装置。
【請求項９】
前記筒状体が、前記チューブのほぼ全長にわたるようにされることを特徴とする請求項２〜８のいずれか１項に記載の加温装置。
【発明の詳細な説明】
【技術分野】
【０００１】
本発明は、点滴、輸血、診断等に際して点滴液、血液、造影剤等を供給するための注入チューブを加温する加温装置に関する。なお、本明細書では、点滴液、血液、造影剤等、医療のために人体に注入される液体を薬液と総称する。
【背景技術】
【０００２】
やさしい医療が叫ばれているおり、点滴液を体温に近い温度まで加温したうえで注入することが行われるようになってきている。これは、通常、点滴は体力の衰えた病人等に行うことで体力の回復、栄養補給等を図るものであるところ、点滴液の温度が体温よりも低いと、体内に入った点滴液を体温まで上げることにエネルギーが費やされてしまい、体力の消耗につながるという問題点があるからである。
【０００３】
例えば特許文献１には、薬液を体温に近似した温度に加温して体内に供給する流通液加温装置が開示されている。この装置は、フィルムシートに連続的な液通路（蛇行状通路）を形成した仕切を設けると共に、液通路に出口チューブと入口チューブを連結してなる加温バッグの両面を加熱板で挟み込んで液通路を流通する薬液の加温を行うようにしている。
【０００４】
しかしながら、このような加温装置は以下のような問題点を有している。
【０００５】
１．装置内を薬液が直に流通する構造であるために、異なる種類の薬液に共用しにくい。
【０００６】
２．加熱源として電熱ヒーターが内蔵されており、電気系統が装置と一体になっているので安全上好ましくない。
【０００７】
３．この種の装置は、その構成上、注射針に近い場所よりはむしろ薬袋に近い場所に設置されるのが好ましく、点滴の場合、供給速度が遅いために加温された液が注射針に到達するまでに温度が低下し易い。
【０００８】
【特許文献１】登録実用新案第３０５６４３９号公報
【発明の開示】
【発明が解決しようとする課題】
【０００９】
本発明の課題は、できるだけ簡単な構成で上記のような問題点を解消できるような加温装置を提供することにある。
【課題を解決するための手段】
【００１０】
本発明によれば、薬液を通すチューブに保温カバーを被せ、該保温カバー内に温風を通すことでチューブ内の薬液を加温するようにしたことを特徴とする加温装置が提供される。
【００１１】
本発明による加温装置においては、前記保温カバーは、前記チューブの外径より大きい内径を持つ筒状体を有してその所定箇所に温風入口が設けられ、該筒状体内に前記チューブを通すようにされ、該筒状体内に温度制御された温風を通すことで前記チューブ内の薬液を所望の温度まで加温するようにされる。
【００１２】
本発明による加温装置においてはまた、前記保温カバーが、前記筒状体の中間部に近い位置に前記温風入口を有し、前記温風入口から導入された温風は、前記筒状体の両端側に向けて分流されて該筒状体の端部から排出されることが好ましい。
【００１３】
本発明による加温装置においては更に、前記筒状体の両端がそれぞれ、前記チューブを通した状態で塞がれ、該筒状体の前記両端に近い箇所にそれぞれ、前記温風を排出するための１つ以上の穴が設けられていても良い。
【００１４】
本発明による加温装置においては更に、前記保温カバーが、前記温風入口を有すると共に該温風入口を間にした両側に接続部を持つ中空のコネクタと、該接続部に一端側を接続される２本の筒状のカバー体とで着脱自在に構成されて成り、これら２本のカバー体と前記コネクタとを通すように前記チューブが配置され、前記温風入口から導入された温風は、前記２本のカバー体に分流されて各カバー体の他端側から排出されるようにしても良い。
【００１５】
本発明による加温装置においては更に、前記コネクタの内壁には、該コネクタを通された前記チューブが前記温風入口の通路を塞ぐことを防止するために、前記チューブを前記温風入口の通路から離れた状態で保持するための固定リングが設けられていても良い。
【００１６】
本発明による加温装置においては更に、前記筒状体の内壁には、前記チューブを前記内壁から離間させるためのガイドフィンが設けられることが好ましい。
【００１７】
本発明による加温装置においては更に、前記保温カバーから離れた箇所に温風発生装置が配置され、該温風発生装置で発生された温風は前記温風入口に接続可能な温風チューブを介して当該保温カバーに導入されることが好ましい。
【００１８】
本発明による加温装置においては更に、前記筒状体が、前記チューブのほぼ全長にわたるようにされることが好ましい。
【発明の効果】
【００１９】
本発明の加温装置によれば、薬液を、チューブを介して間接的に加温する構造であるために、異なる種類の薬液にも共用できる。また、加熱源を別場所に配置できるので、電気系統を加温装置と別体にすることができ、安全上好ましい。
【００２０】
本発明による加温装置を使用することにより、点滴の場合、常温でストックされていた点滴パック又はボトルは加温せずそのまま使用しても薬液出口（注射針）近くでは体温に近い温度を保つことができる。
【００２１】
また、アンギオにおける造影剤注入の場合、耐圧チューブを保温することで造影剤の粘度を下げることができ、注入立上げ時のチューブ内圧力を低減させることができる。これは造影剤注入時のチューブの破裂を防ぎ、より細い造影カテーテルを使用することができるという効果を奏する。
【発明を実施するための最良の形態】
【００２２】
本発明による薬液加温装置は、薬液を供給するための薬液チューブをその外側から温風で加温するものであり、薬液チューブに筒状の保温カバーを被せ、その保温カバー内に温度制御された温風を流して加温するように構成している。
【００２３】
以下に、図面を参照しながら加温原理について説明する。図１は、薬液チューブとその加温に用いられる保温カバーとの関係を示す。保温カバー１０は両端を開放した筒状であり、その中に薬液チューブ２０を通すために保温カバー１０の内径は薬液チューブ２０の外径より大きい。断面で示した保温カバー１０の中央部には温風入口１０−１が設けられている。
【００２４】
温風入口１０−１から温風が注入され、注入された温風は保温カバー１０内で二手に分かれ、両端の開放部から排出される。この過程で薬液チューブ２０内の薬液は加温される。加温の効果を上げるには温風の入口−出口間の温度差を小さくしなければならない。保温カバー１０内の空気抵抗が増大すると流速が落ちて保温カバー１０の外に熱が逃げてしまい温度差が増大してしまう。この温度差を小さくするには空気抵抗を下げ流量を増大させれば良い。
【００２５】
図２は、保温カバー１０内の温風の流れ方向を拡大して示した断面図である。保温カバー１０の中央部（中間部）に温風入口１０−１を設けた理由は、空気抵抗を下げるためである。つまり、温風入口１０−１から供給された温風を保温カバー１０内で矢印で示すように左右に分流させ、分流された温風をそれぞれ保温カバー１０の開放端部から排出する。このようにして空気抵抗を低下させることで保温カバー１０内の温風の流速、流量を増大させ、もって温風出口での温度低下を軽減させるようにしている。
【００２６】
図３（ａ）〜図３（ｃ）は、保温カバー１０内での薬液チューブ２０の状態を示す断面図である。保温カバー１０の内面が円筒状であり、そこに薬液チューブ２０がうねりをもった状態で挿通されていたとしても、図３（ｂ）、図３（ｃ）の断面図で理解できる様に、どのような状態であっても保温カバー１０と薬液チューブ２０との間には一定の温風流通空間があることがわかる。薬液チューブ２０の一部が保温カバー２０の内面に接触するが、適度な温風流量が確保されれば入口−出口間で大きな温度差を発生する要因にはならない。
【００２７】
図４（ａ）、図４（ｂ）は、保温カバー１０内にガイドフィン１０−２を設けるようにした改良例を断面図で示す。保温カバー１０内に、長さ方向及び周方向に間隔（ここでは、９０度）をおいてガイドフィン１０−２を取付けることによって薬液チューブ２０をガイドするようにし、薬液チューブ２０が保温カバー１０の内面に接触しないようにして温風温度低下防止の改善がされている。
【００２８】
図５は、温風を一方向のみに流通させるようにした例を示す。つまり、本例では、一端側に薬液チューブ２０の挿入口と温風入口１０−１’を設け、反対側の端部を開放とした保温カバー１０’を用いることにより、薬液チューブ２０の一端側から温風を入れ、その反対側から排出するようにしている。この例では、図１に示した例に比べ空気抵抗が約２倍となり温風のトータル流量も２５％程度となる。しかし、保温カバー１０’の内径を大きくするか温風の圧力を高くすることで、図１の例に近づけることができる。
【００２９】
図６〜図１６を参照して、本発明による加温装置の好ましい実施の形態について説明する。
【００３０】
図６はもっとも簡単な構造で安価にて提供することのできる形態を示す。本形態では、図１で説明したように、保温カバー１０として筒状体の中間部に温風入口（チューブ接続部）１０−１を一体に形成したものを用いる。なお、薬液チューブ２０の両端には薬液チューブコネクタ２１が取り付けられ、一方の薬液チューブコネクタ２１には薬袋へ差し込むための針が、他方の薬液チューブコネクタ２１には人体への注射針がそれぞれ装着される。薬液チューブコネクタ２１は保温カバー１０の内径よりも大きいので、保温カバー１０にこれより少し長い薬液チューブ２０を通した後、薬液チューブ２０の両端に薬液チューブコネクタ２１を取り付けるようにする。つまり、本加温装置は、ユーザーに対しては保温カバー１０に薬液チューブ２０が組み込まれた図６に示す状態で提供される。保温カバー１０は、透明な材料、例えば樹脂材料で作ることにより、薬液チューブ２０内の気泡の有無を確認することができる。
【００３１】
温風入口１０−１には、後述する温風発生装置と連結された温風チューブ（図示せず）から温風が導入される。
【００３２】
図７は、図６の形態の変形例を示す。図６の形態では温風入口１０−１から導入した温風を保温カバー１０の両側の開放端から排出するようにしている。これに対し、本例では保温カバー１０の両端は薬液チューブ２０を通した状態で塞ぎ、代わりに両端近傍に１個以上の穴（ここでは、長さ方向及び周方向に間隔をおいて合計８個）１０ａを設け、穴１０ａから温風を排出するようにしている。このようにした理由は以下の通りである。
【００３３】
（１）例えば、図中右側の薬液チューブコネクタ２１に注射針が装着される場合、注射針が挿入された患部へ温風が当たることを防止できる。
【００３４】
（２）穴１０ａの径を調節することで保温カバー１０内の温風の圧力を所望の値に設計できる。これにより、保温カバー１０をつぶれないように適度に膨らませた状態で使用することができる。
【００３５】
図８は、図７の左側の破線の円内を拡大した断面図で示しており、保温カバー１０の端部には薬液チューブ２０との間を塞ぐための詰物２２が充填されている。薬液チューブコネクタ２１は保温カバー１０の内径よりも大きいので、保温カバー１０にこれより少し長い薬液チューブ２０を通した後、薬液チューブ２０の両端に薬液チューブコネクタ２１を取り付けるとともに、保温カバー１０の端部を詰物２２で塞ぐようにする。つまり、ユーザーには、保温カバー１０に薬液チューブ２０が組み込まれた図７に示す状態で提供される。
【００３６】
図９〜図１５を参照して更に別の実施の形態について説明する。本形態では、保温カバー１０を着脱式の分解可能な構造としている。
【００３７】
図９〜図１１において、保温カバー１０は、２つの筒状のカバー体１１と、これらをつなぎ合わせるためのカバー取付コネクタ（以下、コネクタと略称する）１２とから成る。コネクタ１２は中空体であって、その中間部に温風供給用の温風チューブ（図示せず）を接続するための温風入口（チューブ接続部）１０−１を有し、両側にはそれぞれカバー体１１を接続するためのカバー接続部１２−１を有する。特に、カバー接続部１２−１の先端はカバー体１１を嵌め込み易くするためにテーパとしている。
【００３８】
図１２をも参照して、コネクタ１２は、テフロン（登録商標）等の高分子材で成型され、内径は薬液チューブ２０側の薬液チューブコネクタ２１の最大径より若干大きめに作られて薬液チューブコネクタ２１付きの薬液チューブ２０を挿入し易くしている。
【００３９】
温風入口１０−１には、後述する温風発生装置と連結された温風チューブ（図示せず）から温風が導入される。
【００４０】
図９に示すように、保温カバー１０には薬液チューブ２０が挿通される。コネクタ１２内で薬液チューブ２０が温風入口１０−１側の内壁に接して温風入口１０−１の通路を塞がないようにするために、以下のような工夫がされている。
【００４１】
図１３（ａ）、図１３（ｂ）を参照して、コネクタ１２の内壁には温風入口１０−１を間にした２箇所に固定リング１３が設けられる。
【００４２】
固定リング１３は、図１４（ａ）、図１４（ｂ）にも示すように、リング状体の一部を切り欠いてばね性を持たせ、この切り欠き部と反対側の部分を円弧状に窪ませて形成されている。固定リング１３は、薬液チューブ２０をコネクタ１２に通した後、切り欠き部を温風入口１０−１側に向け、リング状の部分がコネクタ１２の内壁に沿うように装着される。そうすると、固定リング１３の円弧状の窪みに薬液チューブ２０が入り込み、その結果、薬液チューブ２０が固定リング１３の窪みで保持されるので温風入口１０−１の通路を塞ぐことを防止できる。
【００４３】
本形態による保温カバー１０の組み立て及び薬液チューブ２０への組み付けは以下のようにして行われる。
【００４４】
図１２に示すように、コネクタ１２に薬液チューブコネクタ２１付きの薬液チューブ２０を通す。次に、コネクタ１２に固定リング１３を装着して薬液チューブ２０をコネクタ１２に固定する。続いて、コネクタ１２の両側のカバー接続部１２−１にカバー体１１を装着する。薬液チューブ２０の一端側の薬液チューブコネクタ２１に薬袋へ差し込むための針を、他端側の薬液チューブコネクタ２１には注射針をそれぞれ接続する。温風入口１０−１に温風チューブを接続する。温風発生装置で発生した温風を温風チューブを通して導入すると、導入された温風はコネクタ１２内で二手に分けられ、２つのカバー体１１の開放端部から排出される。
【００４５】
なお、カバー体１１は、透明な材料、例えば樹脂材料で作ることにより、薬液チューブ２０内の気泡の有無を確認することができる。また、本形態による加温度装置も図９に示される状態でユーザーに提供されるが、薬液チューブコネクタ２１は、薬液チューブ２１を保温カバー１０に通した後に取り付けられても良い。
【００４６】
図１５は、図１０の線Ａ−Ａによる断面図である。
【００４７】
次に、図１６を参照して温風発生装置の一例について説明するが、温風チューブを通して保温カバー１０に温風を供給する温風供給源はどのようなものであっても良い。
【００４８】
図１６は、着脱式の保温カバー１０にセットされた薬液チューブ２０内の薬液を温風で加温する温風発生装置の一例を示す。この温風発生装置１００は安全を第一に考えて製作されている。
【００４９】
図１６において、電源はアイソレーショントランス１０１を介して供給され、商用電源とは分離されている。アイソレーショントランス１０１の前段にはノイズフィルター１０２が装着されておりノイズを入れない、出さない構造となっている。電源スイッチはブレーカー兼用で異常発生時即断される。アイソレートされた電源は電動式空気ポンプ１０３と制御用電源部１０４に供給される。
【００５０】
電動式空気ポンプ１０３はモーターの回転運動を直線運動に変換しテフロン（登録商標）製蛇腹ポンプを駆動して、圧縮空気を得ている。蛇腹ポンプは低速運動で適度な流量と圧力、低騒音が得られ空気取入口にはエアーフィルター１０５が設けられて取り入れた空気を簡易ろ過するようにしている。
【００５１】
電動式空気ポンプ１０３からの圧縮空気は熱交換器１０６に導入される。
【００５２】
熱交換器１０６は電熱ヒーター１０６−１からの発生熱を放熱フィンで放熱して導入された圧縮空気を温め温風に変換する。温風温度はサーミスタ１０６−２で検出され温度制御ユニット１０７に送られる。温度制御ユニット１０７は、検出された温風温度と設定温度とを比較し、比較結果に応じて電熱ヒーター１０６−１をオン、オフ制御することで温風温度を設定温度に維持する制御動作を実行する。何らかの異常が発生して温風温度が設定温度以上に上昇した時は、これを過熱防止素子１０６−３で検知する。過熱防止素子１０６−３は温度上昇を検知すると、電熱ヒーター１０６−１を即オフとする。
【００５３】
このようにして温度制御された温風は、温風チューブ１１０を経て保温カバー１０に供給される。
【００５４】
温度制御ユニット１０７は温風温度を任意に設定でき（例えば、体温に近い３５〜３７℃）、サーミスタ１０６−２で検出された温度検出信号で電熱ヒーター１０６−１をオン、オフさせ最適な温度を維持するようになっている。過熱防止素子１０６−３が作動すると電熱ヒーター１０６−１はオフにロックされる。また、何らかの異常が発生してコントロール不能状態に陥ったときは、ヒーター電源が自動的に遮断されるように設計されている。
【００５５】
以上、本発明の好ましい実施の形態について説明してきたが、本発明は上記実施の形態に限定されるものではない。例えば、図１１に示したカバー体１１にも、図４で説明したようなガイドフィンを設けるようにしても良い。また、保温カバー１０（カバー体１１）は可とう性を有することが好ましく、注入される薬液の温度を所望温度に維持するためには薬袋から注射針に至る薬液チューブ２０の全長にわたって設けられることが望ましい。この場合、コネクタ１２は薬袋から注射針に至る薬液チューブ２０の中間部に位置することになる。しかし、保温カバー１０の材料は、樹脂材、可とう性材、透明材に限られないし、長さも自由に設定できる。また、薬液を入れたパックを加温したうえで薬袋としてセットする場合には、本加温装置は保温装置として使用することができる。
【００５６】
本発明の加温装置によれば、以下の効果が得られる。
【００５７】
１．薬液を薬液チューブを介して間接的に加温する構造であるために、異なる種類の薬液にも共用できる。
【００５８】
２．加熱源としての温風発生装置は加温装置と別に設置され、加温装置自体は電気系統を持たないので、安全上好ましい。つまり、加温装置に使用する部材はテフロン（登録商標）等の高分子絶縁体で、電気絶縁に優れ温風のみ使用のため電気系統とは完全に分離される。
【００５９】
３．加温装置の保温カバー、カバー体はどのような長さにも設定でき、薬液チューブの全長にわたるようにすることができるので、点滴のような場合、供給速度が遅くても加温された液が注射針に到達するまでに温度が低下することが無い。
【産業上の利用可能性】
【００６０】
本発明による加温装置は、点滴、輸液ポンプ、血管造影インジェクター用エクステンションチューブ等、チューブ内薬液の加温等、様々な形態で使用可能である。
【図面の簡単な説明】
【００６１】
【図１】図１は、本発明による加温装置の加温原理を説明するための図である。
【図２】図２は、図１において破線で示された円内の部分を拡大して示した断面図である。
【図３】図３（ａ）〜（ｃ）は、図１に示された保温カバー内での薬液チューブの状態を説明するための断面図である。
【図４】図４は、図１に示された保温カバーの改良例を示した断面図である。
【図５】図５は、保温カバーの他の例を一部破断して示した図である。
【図６】図６は、本発明による加温装置の好ましい実施の形態を示した図である。
【図７】図７は、図６の形態の変形例を示した図である。
【図８】図８は、図７の一部を拡大し、更にその一部を拡大して示した図である。
【図９】図９は、本発明による加温装置の別の実施の形態を示した図である。
【図１０】図１０は、図９に示された加温装置を構成するカバー取付コネクタを示した図である。
【図１１】図１１は、図９に示された加温装置を構成するカバー体を示した図である。
【図１２】図１２は、図１０に示されたカバー取付コネクタに薬液チューブを通した状態を示した図である。
【図１３】図１３（ａ）、（ｂ）は、図１０に示されたコネクタに装着される固定リングについて説明するための図である。
【図１４】図１４（ａ）、（ｂ）は、図１３（ｂ）に示された固定リングについて説明するための図である。
【図１５】図１５は、図１０のＡ−Ａ線による断面図である。
【図１６】図１６は、本発明による加温装置に温風を供給するための温風発生装置の一例を示したブロック構成図である。
【符号の説明】
【００６２】
１０    保温カバー
１０ａ    穴
１０−１    温風入口
１０−２    ガイドフィン
１１    カバー体
１２    カバー取付コネクタ
１３    固定リング
２０    薬液チューブ
【図１】
2007130236.tif 000003
【図２】
2007130236.tif 000004
【図３】
2007130236.tif 000005
【図４】
2007130236.tif 000006
【図５】
2007130236.tif 000007
【図６】
2007130236.tif 000008
【図７】
2007130236.tif 000009
【図８】
2007130236.tif 000010
【図９】
2007130236.tif 000011
【図１０】
2007130236.tif 000012
【図１１】
2007130236.tif 000013
【図１２】
2007130236.tif 000014
【図１３】
2007130236.tif 000015
【図１４】
2007130236.tif 000016
【図１５】
2007130236.tif 000017
【図１６】
2007130236.tif 000018